(57)【特許請求の範囲】
【請求項１】
ネットワークを介して接続される端末装置に対して、商品に関する商品情報を提供する商品情報提供サーバ装置であって、
商品識別情報と前記商品の特徴を示す商品特徴情報とを含む商品情報を格納する商品情報格納手段と、
ユーザの購入商品識別情報を含む購入履歴情報を格納する購入履歴情報格納手段と、
所定のユーザに対応した前記購入履歴情報格納手段と、前記商品情報格納手段とを参照することで、前記所定のユーザの過去に購入した商品及び過去に購入した商品の前記商品特徴情報を取得し、前記取得した商品特徴情報に基づいて商品毎に前記所定のユーザの生活パターンを反映している表示優先度を設定する表示優先度設定手段と、
前記端末装置が商品情報を表示する際における一商品当たりの商品情報を表示する表示面積を、前記表示優先度設定手段により設定されている前記表示優先度に基づいて決定する表示面積決定手段と、
前記端末装置にて表示する前記商品情報と、前記表示面積決定手段により決定された表示面積を示す表示面積情報とを、前記端末装置に対して送信する送信手段と、
を備えることを特徴とする商品情報提供サーバ装置。
【請求項２】
請求項１に記載の商品情報提供サーバ装置であって、
前記商品情報格納手段に格納された前記商品の特徴を示す商品特徴情報は、商品が保存されるべき温度帯を示す温度帯情報であり、
前記表示優先度設定手段は、前記所定のユーザにより過去に購入された商品が保存されるべき温度帯を前記購入履歴情報及び前記温度帯情報から得て、前記所定のユーザにより過去に購入された商品が保存されるべき温度帯に基づく温度帯で保存されるべき商品の表示優先度を、他の温度帯で保存されるべき商品の表示優先度よりも高く設定することを特徴とする商品情報提供サーバ装置。
【請求項３】
請求項１に記載の商品情報提供サーバ装置であって、
前記商品情報格納手段に格納された前記商品の特徴を示す商品特徴情報は、商品の調理方法を示す調理方法情報であり、
前記表示優先度設定手段は、前記所定のユーザにより過去に購入された商品の調理方法を前記購入履歴情報及び前記調理方法情報から得て、前記所定のユーザにより過去に購入された商品の調理方法に基づく調理方法を示す調理方法情報が対応付けられている商品の表示優先度を、同じ調理方法を示す調理方法情報が対応付けられていない商品の表示優先度よりも高く設定することを特徴とする商品情報提供サーバ装置。
【請求項４】
請求項１に記載の商品情報提供サーバ装置であって、
前記商品情報格納手段に格納された前記商品の特徴を示す商品特徴情報は、商品の規格を示す規格情報であり、
前記表示優先度設定手段は、前記所定のユーザにより過去に購入された商品の規格を前記購入履歴情報及び前記規格情報から得て、前記所定のユーザにより過去に購入された商品の規格に基づく規格の商品の表示優先度を、異なる規格の商品の表示優先度よりも高く設定することを特徴とする商品情報提供サーバ装置。
【請求項５】
請求項１に記載の商品情報提供サーバ装置であって、
前記購入履歴情報格納手段は、ユーザが前記商品を購入した購入年月日を更に格納し、
前記表示優先度設定手段は、前記所定のユーザの過去に購入した商品の購入年月日を前記購入履歴情報から得て、前記商品情報の中に前記所定のユーザにより前日に購入された商品がないかを確認し、前日に購入された商品があった場合には、前記前日に購入された商品の表示優先度を低く設定することを特徴とする商品情報提供サーバ装置。
【請求項６】
請求項１から請求項５の何れか１項に記載の商品情報提供サーバ装置であって、
前記商品は、生鮮食品や日用雑貨といった多種多品目にわたり、ネットスーパーサイトで扱われる商品であることを特徴とする商品情報提供サーバ装置。
【請求項７】
コンピュータを、
商品に関する商品情報を提供する商品情報提供サーバ装置にネットワークを介して接続し、商品識別情報と前記商品の特徴を示す商品特徴情報とを含む商品情報と、前記商品情報を表示する際における一商品当たりの商品情報を表示する表示面積を示す表示面積情報と、を前記商品情報提供サーバ装置から受信する受信手段、
前記受信手段により受信した前記商品情報と、前記表示面積情報とに基づいて、商品情報を表示部に表示させる表示制御手段、
として機能させる商品情報表示プログラムであって、
前記表示面積情報は、前記商品情報提供サーバ装置が、前記商品情報とユーザの購入商品識別情報を含む購入履歴情報であって所定のユーザに対応した前記購入履歴情報とを参照することで、前記所定のユーザの過去に購入した商品及び過去に購入した商品の前記商品特徴情報を取得し、前記取得した商品特徴情報に基づいて商品毎に設定した、前記所定のユーザの生活パターンを反映している表示優先度に基づいて決定した前記表示面積を示すことを特徴とする商品情報表示プログラム。
【請求項８】
商品識別情報と商品の特徴を示す商品特徴情報とを含む商品情報を格納する商品情報格納手段と、ユーザの購入商品識別情報を含む購入履歴情報を格納する購入履歴情報格納手段とを備え、ネットワークを介して接続される端末装置に対して、商品に関する商品情報を提供する商品情報提供サーバ装置における商品情報表示方法であって、
所定のユーザに対応した前記購入履歴情報格納手段と、前記商品情報格納手段とを参照することで、前記所定のユーザの過去に購入した商品及び過去に購入した商品の前記商品特徴情報を取得し、前記取得した商品特徴情報に基づいて商品毎に前記所定のユーザの生活パターンを反映している表示優先度を設定する表示優先度設定工程と、
前記端末装置が商品情報を表示する際における一商品当たりの商品情報を表示する表示面積を、前記表示優先度設定工程により設定されている前記表示優先度に基づいて決定する表示面積決定工程と、
前記端末装置にて表示する前記商品情報と、前記表示面積決定工程により決定された表示面積を示す表示面積情報とを、前記端末装置に対して送信する送信工程と、
を含むことを特徴とする商品情報表示方法。
【請求項９】
商品に関する商品情報を提供する商品情報提供サーバ装置と、当該商品情報提供サーバ装置にネットワークを介して接続する端末装置と、を含む商品情報表示システムであって、
前記商品情報提供サーバ装置は、
商品識別情報と前記商品の特徴を示す商品特徴情報とを含む商品情報を格納する商品情報格納手段と、
ユーザの購入商品識別情報を含む購入履歴情報を格納する購入履歴情報格納手段と、
所定のユーザに対応した前記購入履歴情報格納手段と、前記商品情報格納手段とを参照することで、前記所定のユーザの過去に購入した商品及び過去に購入した商品の前記商品特徴情報を取得し、前記取得した商品特徴情報に基づいて商品毎に前記所定のユーザの生活パターンを反映している表示優先度を設定する表示優先度設定手段と、
前記端末装置が商品情報を表示する際における一商品当たりの商品情報を表示する表示面積を、前記表示優先度設定手段により設定されている前記表示優先度に基づいて決定する表示面積決定手段と、
前記端末装置にて表示する前記商品情報と、前記表示面積決定手段により決定された表示面積を示す表示面積情報とを、前記端末装置に対して送信する送信手段と、
を備え、
前記端末装置は、
前記商品情報提供サーバ装置から送信された前記商品情報と、前記表示面積決定手段により決定された表示面積を示す表示面積情報とを受信する受信手段と、
前記受信手段により受信した前記商品情報と前記表示面積決定手段により決定された表示面積情報とに基づいて、商品情報を表示部に表示させる表示制御手段と、
を備えることを特徴とする商品情報表示システム。
【発明の詳細な説明】
【技術分野】
【０００１】
本発明は、インターネット等のネットワークを利用したネットショッピングの技術分野に関する。
【背景技術】
【０００２】
近年、インターネット上で多くの店舗が出店するショッピングモールを提供するサイト（以下、「ショッピングモールサイト」という）が知られている。ショッピングモールのユーザ（利用者）は、ショッピングモールサイトからユーザ端末に送信されたＷｅｂページを通じて、出店者がショッピングモールに出品した商品の中から所望の商品を選択し、注文手続きを経て、選択した商品を購入できるようになっている（例えば、特許文献１参照）。
【先行技術文献】
【特許文献】
【０００３】
【特許文献１】特開２００２−２３６６９４号公報
【発明の概要】
【発明が解決しようとする課題】
【０００４】
こうしたショッピングモールサイトでは、商品の注文を受け付けるにあたって、商品に係る画像、名称、価格等の商品情報を端末装置の表示部に表示させる。したがって、商品が複数ある場合、一商品当たりの表示面積が小さくなってしまい、複数の商品の表示の中から所望の商品を見つけるための負荷が大きくなってしまうおそれがあった。
【０００５】
本発明は、こうした点に注目してなされたものであり、その課題の一例は、ユーザに商品情報を提示する場合に、一部の商品の表示面積を他と変えて表示することができることにより、ユーザの商品に対する関心を高めることのできる商品情報提供サーバ装置、端末装置、商品情報表示プログラム、商品情報表示方法及び商品情報表示システムを提供することにある。
【課題を解決するための手段】
【０００６】
上記課題を解決するために、請求項１に記載の発明は、ネットワークを介して接続される端末装置に対して、商品に関する商品情報を提供する商品情報提供サーバ装置であって、商品識別情報と前記商品の特徴を示す商品特徴情報とを含む商品情報を格納する商品情報格納手段と、ユーザの購入商品識別情報を含む購入履歴情報を格納する購入履歴情報格納手段と、所定のユーザに対応した前記購入履歴情報格納手段と、前記商品情報格納手段とを参照することで、前記所定のユーザの過去に購入した商品及び過去に購入した商品の前記商品特徴情報を取得し、前記取得した商品特徴情報に基づいて商品毎に前記所定のユーザの生活パターンを反映している表示優先度を設定する表示優先度設定手段と、前記端末装置が商品情報を表示する際における一商品当たりの商品情報を表示する表示面積を、前記表示優先度設定手段により設定されている前記表示優先度に基づいて決定する表示面積決定手段と、前記端末装置にて表示する前記商品情報と、前記表示面積決定手段により決定された表示面積を示す表示面積情報とを、前記端末装置に対して送信する送信手段と、を備えることを特徴とする。
【０００７】
請求項１に記載の発明によれば、商品毎に設定される表示優先度に基づいて、端末装置が商品情報を表示する際における一商品当たりの当該商品情報を表示する表示面積が決定されることから、一部の商品の表示面積を他と変えて表示することができる。そのため、表示面積によってユーザの商品に対する関心を高めることができる。
また、ユーザにより過去に購入された商品の特徴に基づいて、ユーザの生活パターンを反映している商品が表示優先度を高く表示されることから、ユーザの利便性と、商品に対する関心を高めることができる。
【００１２】
請求項２に記載の発明は、請求項１に記載の商品情報提供サーバ装置であって、前記商品情報格納手段に格納された前記商品の特徴を示す商品特徴情報は、商品が保存されるべき温度帯を示す温度帯情報であり、前記表示優先度設定手段は、前記所定のユーザにより過去に購入された商品が保存されるべき温度帯を前記購入履歴情報及び前記温度帯情報から得て、前記所定のユーザにより過去に購入された商品が保存されるべき温度帯に基づく温度帯で保存されるべき商品の表示優先度を、他の温度帯で保存されるべき商品の表示優先度よりも高く設定することを特徴とする。
【００１３】
請求項２に記載の発明によれば、ユーザにより過去に購入された商品が保存されるべき温度帯に基づいて得られる温度帯で保存されるべき商品、すなわちユーザが購入する可能性の高い商品が表示優先度を高く表示されることから、ユーザの利便性と、商品に対する関心を高めることができる。
【００１６】
請求項３に記載の発明は、請求項１に記載の商品情報提供サーバ装置であって、前記商品情報格納手段に格納された前記商品の特徴を示す商品特徴情報は、商品の調理方法を示す調理方法情報であり、前記表示優先度設定手段は、前記所定のユーザにより過去に購入された商品の調理方法を前記購入履歴情報及び前記調理方法情報から得て、前記所定のユーザにより過去に購入された商品の調理方法に基づく調理方法を示す調理方法情報が対応付けられている商品の表示優先度を、同じ調理方法を示す調理方法情報が対応付けられていない商品の表示優先度よりも高く設定することを特徴とする。
【００１７】
請求項３に記載の発明によれば、ユーザにより過去に購入された商品の調理方法に基づいて得られる調理方法が可能な商品、すなわちユーザが購入する可能性の高い商品が表示優先度を高くして表示されることから、ユーザの利便性と、商品に対する関心を高めることができる。
【００２０】
請求項４に記載の発明は、請求項１に記載の商品情報提供サーバ装置であって、前記商品情報格納手段に格納された前記商品の特徴を示す商品特徴情報は、商品の規格を示す規格情報であり、前記表示優先度設定手段は、前記所定のユーザにより過去に購入された商品の規格を前記購入履歴情報及び前記規格情報から得て、前記所定のユーザにより過去に購入された商品の規格に基づく規格の商品の表示優先度を、異なる規格の商品の表示優先度よりも高く設定することを特徴とする。
【００２１】
請求項４に記載の発明によれば、ユーザにより過去に購入された商品の規格に基づいて得られる規格の商品、すなわちユーザが購入する可能性の高い商品が表示優先度を高くして表示されることから、ユーザの利便性と、商品に対する関心を高めることができる。
【００２２】
請求項５に記載の発明は、請求項１に記載の商品情報提供サーバ装置であって、前記購入履歴情報格納手段は、ユーザが前記商品を購入した購入年月日を更に格納し、前記表示優先度設定手段は、前記所定のユーザの過去に購入した商品の購入年月日を前記購入履歴情報から得て、前記商品情報の中に前記所定のユーザにより前日に購入された商品がないかを確認し、前日に購入された商品があった場合には、前記前日に購入された商品の表示優先度を低く設定することを特徴とする。
【００２３】
請求項６に記載の発明は、請求項１から請求項５の何れか１項に記載の商品情報提供サーバ装置であって、前記商品は、生鮮食品や日用雑貨といった多種多品目にわたり、ネットスーパーサイトで扱われる商品であることを特徴とする。
【００２４】
請求項７に記載の発明は、コンピュータを、商品に関する商品情報を提供する商品情報提供サーバ装置にネットワークを介して接続し、商品識別情報と前記商品の特徴を示す商品特徴情報とを含む商品情報と、前記商品情報を表示する際における一商品当たりの商品情報を表示する表示面積を示す表示面積情報と、を前記商品情報提供サーバ装置から受信する受信手段、前記受信手段により受信した前記商品情報と、前記表示面積情報とに基づいて、商品情報を表示部に表示させる表示制御手段、として機能させる商品情報表示プログラムであって、前記表示面積情報は、前記商品情報提供サーバ装置が、前記商品情報とユーザの購入商品識別情報を含む購入履歴情報であって所定のユーザに対応した前記購入履歴情報とを参照することで、前記所定のユーザの過去に購入した商品及び過去に購入した商品の前記商品特徴情報を取得し、前記取得した商品特徴情報に基づいて商品毎に設定した、前記所定のユーザの生活パターンを反映している表示優先度に基づいて決定した前記表示面積を示すことを特徴とする。
【００２５】
請求項８に記載の発明は、商品識別情報と商品の特徴を示す商品特徴情報とを含む商品情報を格納する商品情報格納手段と、ユーザの購入商品識別情報を含む購入履歴情報を格納する購入履歴情報格納手段とを備え、ネットワークを介して接続される端末装置に対して、商品に関する商品情報を提供する商品情報提供サーバ装置における商品情報表示方法であって、所定のユーザに対応した前記購入履歴情報格納手段と、前記商品情報格納手段とを参照することで、前記所定のユーザの過去に購入した商品及び過去に購入した商品の前記商品特徴情報を取得し、前記取得した商品特徴情報に基づいて商品毎に前記所定のユーザの生活パターンを反映している表示優先度を設定する表示優先度設定工程と、前記端末装置が商品情報を表示する際における一商品当たりの商品情報を表示する表示面積を、前記表示優先度設定工程により設定されている前記表示優先度に基づいて決定する表示面積決定工程と、前記端末装置にて表示する前記商品情報と、前記表示面積決定工程により決定された表示面積を示す表示面積情報とを、前記端末装置に対して送信する送信工程と、を含むことを特徴とする。
【００２６】
請求項９に記載の発明は、商品に関する商品情報を提供する商品情報提供サーバ装置と、当該商品情報提供サーバ装置にネットワークを介して接続する端末装置と、を含む商品情報表示システムであって、前記商品情報提供サーバ装置は、商品識別情報と前記商品の特徴を示す商品特徴情報とを含む商品情報を格納する商品情報格納手段と、ユーザの購入商品識別情報を含む購入履歴情報を格納する購入履歴情報格納手段と、所定のユーザに対応した前記購入履歴情報格納手段と、前記商品情報格納手段とを参照することで、前記所定のユーザの過去に購入した商品及び過去に購入した商品の前記商品特徴情報を取得し、前記取得した商品特徴情報に基づいて商品毎に前記所定のユーザの生活パターンを反映している表示優先度を設定する表示優先度設定手段と、前記端末装置が商品情報を表示する際における一商品当たりの商品情報を表示する表示面積を、前記表示優先度設定手段により設定されている前記表示優先度に基づいて決定する表示面積決定手段と、前記端末装置にて表示する前記商品情報と、前記表示面積決定手段により決定された表示面積を示す表示面積情報とを、前記端末装置に対して送信する送信手段と、を備え、前記端末装置は、前記商品情報提供サーバ装置から送信された前記商品情報と、前記表示面積決定手段により決定された表示面積を示す表示面積情報とを受信する受信手段と、前記受信手段により受信した前記商品情報と前記表示面積決定手段により決定された表示面積情報とに基づいて、商品情報を表示部に表示させる表示制御手段と、を備えることを特徴とする。
【発明の効果】
【００５１】
したがって、本発明によれば、商品毎に設定される表示優先度に基づいて、端末装置が商品情報を表示する際における一商品当たりの当該商品情報を表示する表示面積が決定されることから、一部の商品の表示面積を他と変えて表示することができる。そのため、商品の表示においてユーザの商品に対する関心を高めることができる。
また、ユーザにより過去に購入された商品の特徴に基づいて、ユーザの生活パターンを反映している商品が表示優先度を高く表示されることから、ユーザの利便性と、商品に対する関心を高めることができる。
【図面の簡単な説明】
【００５２】
【図１】注文受付システムの概要構成の一例を示す図である。
【図２】Ｗｅｂページデータの配信例を示す図である。
【図３】注文受付サーバの概要構成の一例を示すブロック図である。
【図４】各種データベースに登録される内容の一例を示す図である。
【図５】商品一覧画面の画面例を示す図である。
【図６】ユーザ端末の概要構成の一例を示すブロック図である。
【図７】注文受付システムの動作例を示すシーケンス図である。
【図８】注文受付システムの動作例を示すシーケンス図である。
【図９】商品一覧画面の画面例を示す図である。
【図１０】商品人気度データベースに登録される内容の一例を示す図である。
【図１１】商品一覧画面の画面例を示す図である。
【図１２】注文受付システムの動作例を示すシーケンス図である。
【発明を実施するための形態】
【００５３】
以下、図面を参照して本発明の実施形態について説明する。なお、以下に説明する実施の形態は、注文受付システムに対して本発明を適用した場合の実施形態である。
【００５４】
［１．第１実施形態］
［１．１．注文受付システムの構成及び機能概要］
先ず、図１及び図２を用いて本発明の一実施形態に係る注文受付システムＳの構成及び概要機能について説明する。
【００５５】
図１に示すように、注文受付システムＳ（「商品情報表示システム」の一例）は、注文受付サーバ１（「商品情報提供サーバ装置」の一例）と、ユーザ端末２（「端末装置」の一例）と、店舗端末３と、を含むネットスーパーサイトとして構成されている。なお、図１の例では、説明の便宜上、一つのユーザ端末２を示しているが、実際には多数のユーザ端末から注文受付サーバ１にアクセス可能となっている。同様に、店舗端末３もネットスーパーサイトに参加するスーパーマーケットの数だけ存在する。ここで、ネットスーパーとは、既存のスーパーマーケットや店舗を持たない宅配専門の業者がインターネット上に設けたネットスーパーサイトを介して商品の注文を受け付け、注文者宅まで注文商品を届ける宅配サービスである。
【００５６】
注文受付サーバ１、ユーザ端末２、及び店舗端末３は、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００５７】
注文受付サーバ１は、スーパーマーケットが参加するネットスーパーサイトを運営するために設置されるサーバであり、ユーザ端末２から商品の注文を受け付け、注文内容をスーパーマーケット側に設置された店舗端末３に配信するようになっている。特に本実施形態の注文受付サーバ１は、スーパーマーケットで取り扱う商品に関する商品情報の一覧を表示し、ユーザに注文商品を選択させる画面（「商品一覧画面」という）をユーザ端末２に表示させる際、後述する表示優先度に応じて各商品が占める表示領域や商品画像の面積を異ならせるようになっている。
【００５８】
ユーザ端末３は、Ｗｅｂブラウザ機能を有し、注文受付サーバ１に例えばＨＴＴＰ（Hyper Text Transfer Protocol）リクエストを送信してそのレスポンスとしてＷｅｂページ等を取得し、ディスプレイ上に表示するようになっている。これにより、ユーザ端末３のユーザは、ネットスーパーサイトから提供される情報を閲覧することができる。なお、ユーザ端末３には、例えば、パーソナルコンピュータ、ＰＤＡ（Personal Digital Assistant）、携帯電話機等が適用可能である。
【００５９】
図２に示すように、注文受付サーバ１は、ユーザ端末２からのＨＴＴＰリクエストを受信するとユーザ端末２の表示部に商品一覧画面を表示させるためのＷｅｂページデータ３００（「商品一覧画面用Ｗｅｂページデータ」）を生成し、ユーザ端末２に送信する。ユーザ端末２は、受信した商品一覧画面用Ｗｅｂページデータ３００を保存するとともに、Ｗｅｂブラウザ機能により読み込み表示部に商品一覧画面を表示（描画）させる。
【００６０】
Ｗｅｂページデータ３００は、ＣＳＳ（Cascading Style Sheets）データ３１０、javascriptデータ３２０及びＨＴＭＬ（HyperText Markup Language）データ３３０を含む。ユーザ端末２は、商品一覧画面に対する所定の操作（クリックなど）を検出すると、クリックされたオブジェクトに応じてＣＳＳデータ３１０、javascriptデータ３２０を読み込み、商品一覧画面の一部の表示を変更してもよい。なお、Ｗｅｂページデータ３００、ＣＳＳデータ３１０、javascriptデータ３２０及びＨＴＭＬデータ３３０は、「表示データ」の一例である。
【００６１】
［１．２．注文受付サーバ１の構成及び機能］
次に、注文受付サーバ１の構成及び機能について、図３乃至図５を用いて説明する。
【００６２】
図３に示すように、注文受付サーバ１は、通信部１１と、記憶部１２と、入出力インターフェース部１３と、システム制御部１４と、を備えている。そして、システム制御部１４と入出力インターフェース部１３とは、システムバス１５を介して接続されている。
【００６３】
通信部１１は、ネットワークＮＷに接続して、ユーザ端末２又は店舗端末３との通信状態を制御するようになっている。
【００６４】
記憶部１２は、例えば、ハードディスクドライブ等により構成されており、オペレーティングシステムや、サーバ用のソフトウェア等の各種ソフトウェアを記憶する。なお、各種ソフトウェアは、例えば、他のサーバ装置等からネットワークＮＷを介して取得されるようにしても良いし、記録媒体に記録されてドライブ装置を介して読み込まれるようにしても良い。
【００６５】
また、記憶部１２には、ネットスーパーサイトからユーザ端末２や店舗端末３に提供されるサイト情報を記憶する。ここで、サイト情報は、例えば、各種画面のＷｅｂページ及びＷｅｂページ上に組み込まれる画像等のデータである。
【００６６】
また、記憶部１２には、会員ＤＢ（Data Base）１２１、店舗ＤＢ１２２、在庫ＤＢ１２３、商品ＤＢ１２４、画像ＤＢ１２５及び購入履歴ＤＢ１２６が構築されている。記憶部１２は、「商品情報格納手段」、「ユーザ情報格納手段」の一例である。
【００６７】
図４（Ａ）に示す会員ＤＢ１２１には、会員登録された会員（ネットスーパーの利用者であり、商品の注文者）の会員ＩＤ、認証パスワード、会員名称、生年月日、性別、会員住所、会員電話番号、メールアドレス、届先名称、届先住所、及び届先電話番号等を示す属性情報（以下、「会員情報」という）が登録されている。会員情報は、会員ＩＤによって会員毎に判別可能になっている。ここで、会員ＩＤは、会員を識別するための識別子である。また、届先は、ネットスーパーで購入した商品の配達先を意味する。また、会員ＩＤ及び認証パスワードは、ログイン処理（会員の認証処理）に使用されるログイン情報である。
【００６８】
図４（Ｂ）に示す店舗ＤＢ１２２には、ネットスーパーに出店しているスーパーマーケット（支店も含む）の店舗ＩＤ、店舗名称、店舗住所、店舗電話番号、配達可能地域及び配達可能時間等を示す店舗情報が登録されている。店舗情報は、店舗ＩＤによってネットスーパーに出店しているスーパーマーケット、又は支店ごと毎に判別可能になっている。ここで、店舗ＩＤは、出店店舗又は出店支店を識別するための識別子である。
【００６９】
図４（Ｃ）に示す在庫ＤＢ１２３には、店舗ＩＤ毎に、店舗ＩＤで識別される店舗で取り扱う商品のジャンルＩＤ、商品ＩＤ、在庫数量、販売価格、仕入価格、粗利益、粗利益率、画像ＩＤ、表示優先度及び過去３ヶ月の販売数を示す情報が登録されている。ここで、ジャンルＩＤは商品が属するジャンルを識別するための識別子である。粗利益は、販売価格から仕入価格を差し引いた額である。商品ＩＤは商品を識別するための識別子であり、画像ＩＤは商品の画像を識別するための識別子である。表示優先度は、商品一覧画面における各商品が占める表示面積を決定する際に参照されるデータである。在庫ＤＢ１２３に登録されている情報は、各店舗に設置されている店舗端末３から受信する情報に基づいて適宜更新されるようになっている。また、在庫ＤＢ１２３を注文受付サーバ１ではなく、各店舗に設置される店舗端末３内の記憶部に設け、注文受付サーバ１が店舗端末３内の在庫ＤＢ１２３にアクセスできるようにしてもよい。
【００７０】
図４（Ｄ）に示す商品ＤＢ１２４には、商品名称、商品の規格、商品の生産地、商品の保存温度帯、商品の調理方法を示す情報が登録されている。すなわち、商品ＤＢ１２４は、複数商品の画像、名称、及び価格の少なくとも何れか１つを商品情報として、対応する商品に関連付けて格納する商品情報格納手段として機能する。商品の規格を示すデータ（「規格情報」の一例）としては、Ｌ（large）、Ｍ（middle）、Ｓ（small）など商品のサイズを示すデータや、商品の容量を示すデータ、商品の梱包単位（例えば、１袋３個入りなど）を示すデータなどが登録される。商品の保存温度帯を示すデータ（「温度帯情報」の一例）としては、冷蔵、冷凍、常温などを示すデータが登録される。商品の調理方法を示すデータ（「調理方法情報」の一例）としては、電子レンジを示すデータ、揚げ物を示すデータなどが登録される。
【００７１】
図４（Ｅ）に示す画像ＤＢ１２５には、画像ＩＤ毎に、ユーザ端末２に送信される画像データ（「画像情報」の一例）が登録されている。画像ＤＢ１２５への画像データの登録は、ネットスーパーの運営スタッフが登録することもできるし、スーパーマーケットのスタッフが店舗端末３から登録することもできるようになっている。
【００７２】
図４（Ｆ）に示す購入履歴ＤＢ１２６には、会員がネットスーパーサイトを利用して購入した商品の履歴情報が登録されている。具体的には、会員ＩＤ、購入年月日、購入店舗ＩＤ、購入商品ＩＤ、及び注文数量を示す情報が登録されている。
【００７３】
入出力インターフェース部１３は、通信部１１及び記憶部１２とシステム制御部１４との間のインターフェース処理を行うようになっている。
【００７４】
システム制御部１４は、ＣＰＵ（Central Processing Unit）１４ａ、ＲＯＭ（Read Only Memory）１４ｂ、ＲＡＭ（Random Access Memory）１４ｃ等により構成されている。そして、システム制御部１４は、ＣＰＵ１４ａが、ＲＯＭ１４ｂや記憶部１２に記憶された各種ソフトウェアプログラムを読み出し実行することにより、表示面積決定手段、及び送信手段等として機能する。
【００７５】
また、システム制御部１４は、商品一覧画面用Ｗｅｂページデータ３００を生成する。システム制御部１４は、商品一覧画面用Ｗｅｂページデータを生成するに当たり、商品一覧画面にて商品情報を表示する際における一商品当たりの商品情報を表示する表示面積を、表示優先度に基づいて決定する。
【００７６】
ここで、図５を用いて商品一覧画面２００について説明する。商品一覧画面２００は、商品ジャンル選択画面（図示しない）において選択されたジャンルに属する商品に関する商品情報を表示する。ジャンルは大ジャンル、中ジャンル、小ジャンルの３層構造となっており、ユーザは、大ジャンルから順に中ジャンル、小ジャンルとジャンルを絞り込むことで、商品一覧画面２００に表示させる商品を絞り込むことができる。
【００７７】
図５に示すように、商品一覧画面２００の上部には、商品ジャンル選択画面にて選択されたジャンルを示すジャンル表示エリア２０１が設けられている。ジャンル表示エリア２０１は、大ジャンル表示エリア２０１ａ、中ジャンル表示エリア２０１ｂ及び小ジャンル表示エリア２０１ｃから構成され、それぞれ、商品ジャンル選択画面にて選択された３層の商品ジャンルが表示される。
【００７８】
商品一覧画面２００には、商品情報表示エリア２１０が設けられており、商品ジャンル選択画面にて選択されたジャンルに属する商品に関する情報を表示する。商品情報表示エリア２１０は、商品情報表示エリア（上段）２１０Ｕ、商品情報表示エリア（中段）２１０Ｍ、商品情報表示エリア（下段）２１０Ｌから構成されている。また、商品情報表示エリア（上段）２１０Ｕは更に２段構成となっている。
【００７９】
商品情報表示エリア（上段）２１０Ｕに表示される各商品については、商品の画像２１１と、商品の価格２１２と、商品の名称２１３と、商品の生産地２１４と、商品の規格２１５とが表示され、保存温度帯が冷蔵である商品については冷蔵アイコン２１６、冷凍である商品については冷凍アイコン２１７が併せて表示されている。また、電子レンジによる調理ができる商品については電子レンジアイコン２１８、揚げ物として調理することができる商品については揚げ物アイコン２１９が併せて表示されている。このように、商品情報表示エリア（上段）２１０Ｕに表示される各商品については、詳細な商品情報が画像やアイコン等により表示される。なお、商品の画像２１１、商品の価格２１２、商品の名称２１３及び商品の生産地２１４、商品の規格２１５や、冷蔵アイコン２１６、冷凍アイコン２１７、電子レンジアイコン２１８及び揚げ物アイコン２１９などは、「商品情報」の一例を表示するためのオブジェクトである。
【００８０】
また、商品情報表示エリア（上段）２１０Ｕに表示される商品のうち、より表示優先度の高い商品については、他の商品よりも表示面積が大きな大型サイズの画像２１１Ｂが表示される。このため、表示優先度の高い商品は、一商品当たりの表示面積が他の商品よりも大きくなっている。
【００８１】
商品情報表示エリア（中段）２１０Ｍに表示される各商品については、商品の画像であって、商品情報表示エリア（上段）２１０Ｕに表示される商品の画像２１１、２１１Ｂよりも小さな小型サイズの画像２１１Ｓと、商品の価格２１２と、商品の名称２１３とが表示される。なお、商品情報表示エリア（中段）２１０Ｍには、商品の生産地２１４、商品の規格２１５、冷蔵アイコン２１６、冷凍アイコン２１７、電子レンジアイコン２１８及び揚げ物アイコン２１９は表示されない。したがって、商品情報表示エリア（中段）２１０Ｍにおける一商品当たりの表示面積は、商品情報表示エリア（上段）２１０Ｕにおける一商品当たりの表示面積よりも小さくなっている。
【００８２】
商品情報表示エリア（下段）２１０Ｌに表示される各商品については、商品の価格２１２と、商品の名称２１３とが表示される。なお、商品情報表示エリア（下段）２１０Ｌには、商品の画像２１１、商品の生産地２１４、商品の規格２１５、冷蔵アイコン２１６、冷凍アイコン２１７、電子レンジアイコン２１８及び揚げ物アイコン２１９は表示されない。したがって、商品情報表示エリア（下段）２１０Ｌにおける一商品当たりの表示面積は、商品情報表示エリア（中段）２１０Ｍにおける一商品当たりの表示面積よりも更に小さくなっている。
【００８３】
商品情報表示エリア２１０には、各商品について、商品の注文数量を選択する際に用いられる注文数量選択ボックス２３１、商品を買い物かごに登録する際に用いられるカゴボタン２３２が併せて表示されている。カゴボタン２３２が押下（クリック）された商品については、注文数量選択ボックス２３１内に表示されている数量にて買い物かご２５０に登録されることとなる。また、買い物かご２５０内には、買い物かご２５０に登録した商品について会計を行う際に用いられる会計ボタン２５１が設けられており、会計ボタン２５１が押下（クリック）されると会計処理へ移行することとなる。
【００８４】
上述したように、商品一覧画面２００における一商品当たりの表示面積は全ての商品について同一であるわけではない。すなわち、システム制御部１４は、商品一覧画面用Ｗｅｂページデータを生成する際、一商品当たりの表示面積を、在庫ＤＢ１２３に登録されている表示優先度に基づいて決定する処理（「表示面積決定処理」という）を行っている。具体的には、システム制御部１４は、商品ジャンル選択画面にて選択されたジャンルに属する商品について、在庫ＤＢ１２３に登録されている表示優先度を参照し、各商品を商品情報表示エリア（上段）２１０Ｕ、商品情報表示エリア（中段）２１０Ｍ又は商品情報表示エリア（下段）２１０Ｌの何れのエリアに表示すべきかを決定する。また、システム制御部１４は、表示優先度を参照して、商品情報表示エリア（上段）２１０Ｕに表示させる商品のうち、何れの商品について表示面積が大きな大型サイズの画像２１１Ｂを表示させるかを決定する。
【００８５】
なお、本実施形態においては、表示優先度を「１」〜「５」の５段階に設定するものとする。原則的に、表示優先度「５」の商品は商品情報表示エリア（上段）２１０Ｕにおいて大型サイズの画像２１１Ｂとともに各商品情報が表示され、表示優先度「４」の商品は商品情報表示エリア（上段）２１０Ｕにおいて通常サイズの画像２１１とともに各商品情報が表示される。また、表示優先度「３」の商品は商品情報表示エリア（中段）２１０Ｍにおいて小型サイズの画像２１１Ｓとともに各商品情報が表示され、表示優先度「２」の商品は商品情報表示エリア（下段）２１０Ｌにおいて各商品情報が表示される。更に、表示優先度「１」の商品は商品情報表示エリア２１０に商品情報が表示されない。つまり、表示優先度が「５」、「４」、「３」、「２」、「１」の順に表示面積が大きくなるように、表示面積が決定される。なお、第１実施形態における表示優先度の設定は、スーパーマーケットやネットスーパーサイトのスタッフが行う。
【００８６】
［１．３．ユーザ端末２の構成及び機能］
次に、ユーザ端末２の構成及び機能について、図６を用いて説明する。
【００８７】
図６に示すように、ユーザ端末２は、操作部３１と、表示部３２と、通信部３３と、記憶部３４と、入出力インターフェース部３５と、システム制御部３６と、を備えている。そして、システム制御部３６と入出力インターフェース部３５とは、システムバス３７を介して接続されている。
【００８８】
操作部３１は、例えば、キーボード、マウス等により構成されており、ユーザからの操作指示を受け付け、その指示内容を指示信号としてシステム制御部３６に出力するようになっている。表示部３２は、例えば、ＣＲＴ（Cathode Ray Tube）ディスプレイ、液晶ディスプレイ等により構成されており、文字や画像等の情報を表示するようになっている。
【００８９】
通信部３３は、ネットワークＮＷに接続して、注文受付サーバ１との通信状態を制御するようになっている。
【００９０】
記憶部３４は、例えば、ハードディスクドライブ等により構成されており、オペレーティングシステムやブラウザソフトなどの各種ソフトウェア等を記憶する。なお、これらのソフトウェアは、例えば、他のサーバ装置等からネットワークＮＷを介して取得されるようにしても良いし、記録媒体に記録されてドライブ装置を介して読み込まれるようにしても良い。
【００９１】
入出力インターフェース部３５は、操作部３１、表示部３２、通信部３３及び記憶部３４と、システム制御部３６との間のインターフェース処理を行うようになっている。
【００９２】
システム制御部３６は、ＣＰＵ３６ａ、ＲＯＭ３６ｂ、ＲＡＭ３６ｃ等により構成されている。そして、システム制御部３６は、ＣＰＵ３６ａが、ＲＯＭ３６ｂや記憶部３４に記憶された各種ソフトウェアプログラムを読み出し実行することにより、受信手段、及び表示制御手段等として機能する。
【００９３】
システム制御部３６は、商品一覧画面用Ｗｅｂページデータ３００等のＷｅｂページデータを受信すると、表示部３２に商品一覧画面２００等の画面を表示させる。
【００９４】
［１．４．注文受付システムの動作］
次に、本発明の一実施形態に係る注文受付システムＳの動作について図７及び図８を用いて説明する。
【００９５】
図７及び図８に示すシーケンス図を用いて、注文受付サーバ１がネットスーパーで取り扱っている商品に関する情報をユーザ端末２に提供し、当該情報に基づいてユーザ端末２にて選択された商品の注文を受け付け、その注文内容を店舗端末３に送信する際の動作について説明する。なお、当該シーケンス図に示す処理が開始する前に、ユーザ端末２は、ネットスーパーサイトにアクセスし、ネットスーパーサイトのトップページ（図示しない）を表示部３２に表示しているものとする。
【００９６】
まず、ユーザ端末２のシステム制御部３６は、会員ＩＤとパスワードを注文受付サーバ１に送信するための操作を検出すると、入力された会員ＩＤとパスワードを注文受付サーバ１に送信する（ステップＳ１０１）。
【００９７】
注文受付サーバ１のシステム制御部１４は、会員ＩＤとパスワードを受信すると、ログイン処理を行う（ステップＳ１０２）。具体的には、システム制御部１４は、受信した会員ＩＤに基づいて会員ＤＢ１２１を検索し、該当する会員ＩＤが登録されているか否かを確認し、登録されている場合には、受信したパスワードと会員ＤＢ１２１に登録されている認証パスワードとが一致するか否かを確認する。そして、システム制御部１４は、該当する会員ＩＤが会員ＤＢ１２１に登録されており、且つ、パスワードが一致した場合にのみログイン処理に問題がないと判定する。
【００９８】
システム制御部１４は、ログイン処理に問題があると判定した場合には、ログイン処理でエラーが発生した旨を示すエラー情報をユーザ端末２に送信し、エラーメッセージをユーザ端末２のディスプレイに表示させる。一方、システム制御部１４は、ログイン処理に問題がないと判定した場合には、会員ＤＢ１２１を参照し、登録されている届先住所を取得し、次いで、店舗ＤＢ１２２を参照し、取得した届先住所を配達可能地域に含む店舗又は支店のリストを取得する（ステップＳ１０３）。
【００９９】
次いで、システム制御部１４は、取得した届先住所と、店舗リストを表示する店舗リスト画面（図示しない）を表示させるためのＷｅｂページデータ（「店舗リスト画面用Ｗｅｂページデータ」という）を生成し（ステップＳ１０４）、ユーザ端末２に送信する（ステップＳ１０５）。
【０１００】
ユーザ端末２のシステム制御部３６は、店舗リスト画面用Ｗｅｂページデータを受信すると店舗リスト画面を表示部３２に表示させる（ステップＳ１０６）。店舗リスト画面が表示されると、ユーザ（会員）は、(i)表示された届先住所が注文商品を受け取る住所であるか否かの確認、及び(ii)注文（購入）先店舗の選択、を行う。なお、住所に誤りがある場合や、届先住所とは異なる住所で商品を受け取る場合には、商品を受け取る正しい住所を新届先住所として送信し、注文受付サーバ１から改めて店舗リスト画面用Ｗｅｂページを受信する。このとき、注文受付サーバ１のシステム制御部１４は、新届先住所を受信すると、新届先住所を配達可能地域に含む店舗のリストを改めて取得し、新届先住所と、取得した店舗リストを表示するための店舗リスト画面用Ｗｅｂページを生成し、ユーザ端末２に送信する。
【０１０１】
ユーザ端末２のシステム制御部３６は、ユーザにより注文先店舗が選択されると、選択された店舗の店舗ＩＤを注文受付サーバ１に送信する（ステップＳ１０７）。
【０１０２】
注文受付サーバ１のシステム制御部１４は、店舗ＩＤを受信すると、在庫ＤＢ１２３を参照し、受信した店舗ＩＤに対応する店舗で扱われている商品のジャンルＩＤに基づいて、大・中・小で選択可能なジャンル表示エリア２０１を表示する商品ジャンル選択画面用Ｗｅｂページデータを生成する（ステップＳ１０８）。商品ジャンル選択画面用Ｗｅｂページデータは、ユーザ端末２に、上述した商品ジャンル選択画面（図示しない）を表示させるためのデータである。
【０１０３】
次いで、システム制御部１４は、商品ジャンル選択画面用Ｗｅｂページデータをユーザ端末２に送信する（ステップＳ１０９）。
【０１０４】
ユーザ端末２のシステム制御部３６は、商品ジャンル選択画面用Ｗｅｂページデータを受信すると商品ジャンル選択画面を表示部３２に表示させる（ステップＳ１１０）。商品ジャンル選択画面が表示されると、ユーザは、商品一覧画面２００に表示させたい商品が属するジャンルを選択する。
【０１０５】
ユーザ端末２のシステム制御部３６は、ユーザによりジャンルが選択されると、選択されたジャンルのジャンルＩＤを注文受付サーバ１に送信する（ステップＳ１１１）。
【０１０６】
注文受付サーバ１のシステム制御部１４は、ジャンルＩＤを受信すると、在庫ＤＢ１２３を参照し、受信したジャンルＩＤに属する商品で構成される商品リストを取得する（ステップＳ１１２）。また、システム制御部１４は、在庫ＤＢ１２３、商品ＤＢ１２４及び画像ＤＢ１２５を参照し、商品の商品名称、販売価格、規格、生産地、保存温度帯及び調理方法を示す情報や、画像データなど、商品情報を取得する。
【０１０７】
次いで、システム制御部１４は、表示優先度取得処理を行う（ステップＳ１１３）。具体的には、在庫ＤＢ１２３を参照し、商品リストに含まれる各商品の表示優先度を取得する。
【０１０８】
次いで、システム制御部１４は、表示面積決定処理を行う（ステップＳ１１４）。表示面積決定処理では、上述したように、表示優先度取得処理で取得した表示優先度に基づいて、商品リストに含まれる商品に関する商品情報を、商品情報表示エリア（上段）２１０Ｕ、商品情報表示エリア（中段）２１０Ｍ又は商品情報表示エリア（下段）２１０Ｌの何れのエリアに表示すべきかを決定し、また、商品情報表示エリア（上段）２１０Ｕに表示させる商品のうち、何れの商品について表示面積が大きな大型サイズの画像２１１Ｂを表示させるかを決定する。
【０１０９】
次いで、システム制御部１４は、表示面積決定処理の結果に基づいて、商品一覧画面用Ｗｅｂページデータを生成し（ステップＳ１１５）、ユーザ端末２に送信する（ステップＳ１１６）。
【０１１０】
ユーザ端末２のシステム制御部３６は、商品一覧画面用Ｗｅｂページデータを受信すると商品一覧画面２００を表示部３２に表示させる（ステップＳ１１７）。商品一覧画面２００が表示されると、ユーザは、商品情報表示エリア２１０に表示されている商品について、カゴボタン２３２をクリックすることにより商品を買い物かご２５０に登録することができる。そして、注文する商品を全て買い物かご２５０に登録した後、会計ボタン２５１を押下（クリック）することで会計処理を行うことができる。システム制御部３６は、会計ボタン２５１を押下（クリック）する操作を検出すると、図８に示すように、買い物かご２５０に登録されている全商品及びその注文数量を示す注文データを注文受付サーバ１に送信する（ステップＳ２０１）。
【０１１１】
注文受付サーバ１のシステム制御部１４は、注文データを受信すると、注文データを記憶部１２に保持するとともに（ステップＳ２０２）、注文内容に間違いがないかをユーザに確認してもらうための注文内容確認画面（図示しない）を表示させるための注文内容確認画面用Ｗｅｂページデータを、注文データに基づいて生成する（ステップＳ２０３）。次いで、システム制御部１４は、注文内容確認画面用Ｗｅｂページデータをユーザ端末２に送信する（ステップＳ２０４）。
【０１１２】
ユーザ端末２のシステム制御部３６は、注文内容確認画面用Ｗｅｂページデータを受信すると注文内容確認画面を表示部３２に表示させる（ステップＳ２０５）。注文内容確認画面には、商品一覧画面２００においてユーザが注文した内容（注文商品、数量）を確認できるようになっており、ユーザは、注文内容確認画面で注文内容を確認し、誤りがなければ了承ボタンを押下（クリック）する。システム制御部３６は、了承ボタンを押下（クリック）する操作を検出すると、ユーザが注文内容を了承した旨を示す了承データを注文受付サーバ１に送信する（ステップＳ２０６）。
【０１１３】
注文受付サーバ１のシステム制御部１４は、了承データを受信すると、ステップＳ２０２の処理で保持した注文データを注文受付ＤＢ（図示しない）に登録する（ステップＳ２０７）。次いで、システム制御部１４は、注文受付が完了した旨を示す注文完了画面（図示しない）を表示させるための注文完了画面用Ｗｅｂページデータを生成し（ステップＳ２０８）、ユーザ端末２に送信する（ステップＳ２０９）。また、システム制御部１４は、注文受付ＤＢに登録した注文データを店舗端末３に送信する（ステップＳ２１０）。
【０１１４】
ユーザ端末２のシステム制御部３６は、注文完了画面用Ｗｅｂページデータを受信すると注文完了画面を表示部３２に表示させる（ステップＳ２１１）。
【０１１５】
上述したように、第１実施形態における注文受付サーバ１は、表示優先度が「３」（「所定の閾値」の一例）より低い商品、すなわち表示優先度が「１」又は「２」の商品の商品画像を商品一覧画面２００に表示しないことを決定する（商品情報の表示面積を「０（零）」に決定することの一例）。
【０１１６】
したがって、表示優先度を「１」又は「２」に設定された商品の画像は表示されないことから、商品一覧画面２００の表示領域を効率的に使用することができる。
【０１１７】
なお、第１実施形態では、表示優先度に応じて、商品情報表示エリア（上段）２１０Ｕ、商品情報表示エリア（中段）２１０Ｍ又は商品情報表示エリア（下段）２１０Ｌの何れのエリアに商品情報を表示するかが決定されるが、商品情報表示エリア（上段）２１０Ｕに表示すべき商品が少ない場合には、商品情報表示エリア（中段）２１０Ｍに表示させるべき商品を表示させ、それでも足りない場合には商品情報表示エリア（下段）２１０Ｌに表示させるべき商品を表示させる。その際、商品情報表示エリア（中段）２１０Ｍや商品情報表示エリア（下段）２１０Ｌに表示させるべき商品であっても、通常サイズの商品画像を表示させるなど、商品情報表示エリア（上段）２１０Ｕに表示される他の商品と同様に扱うこととする。なお、商品情報表示エリア（中段）２１０Ｍに表示させるべき商品が少ない場合には、商品情報表示エリア（下段）２１０Ｌに表示させるべき商品を表示させることとする。これにより、商品情報表示エリア（上段）２１０Ｕや、商品情報表示エリア（中段）２１０Ｍの領域を有効に利用することができる。
【０１１８】
［１．５．表示優先度に関する変形例］
本実施形態では、在庫ＤＢ１２３に登録される各商品の表示優先度の設定を、スーパーマーケットやネットスーパーサイトのスタッフが行うこととしたが、注文受付サーバ１のシステム制御部１４が各商品に対応する所定の情報に基づいて設定することとしてもよい。あるいは、在庫ＤＢ１２３に表示優先度として設定することなく、システム制御部１４が表示の都度、表示優先度を算出してもよい。
【０１１９】
［１．５．１．粗利益又は粗利益率による表示優先度の設定］
システム制御部１４は、表示優先度を、在庫ＤＢ１２３に登録されている粗利益や、粗利益から算出される粗利益率に応じて表示優先度を設定することとしてもよい。具体的には、例えば、注文受付サーバ１内に、粗利益又は粗利益率の値を第１〜第５の範囲に分類して規定しておき、システム制御部１４は、粗利益又は粗利益率が第１の範囲の商品については表示優先度を「１」と設定し、粗利益又は粗利益率が第２の範囲の商品については表示優先度を「２」と設定し、粗利益又は粗利益率が第３の範囲の商品については表示優先度を「３」と設定し、粗利益又は粗利益率が第４の範囲の商品については表示優先度を「４」と設定し、粗利益又は粗利益率が第５の範囲の商品については表示優先度を「５」と設定する。粗利益率は、「粗利益率＝粗利益÷販売価格」で算出される。粗利益や、粗利益率の高い商品ほど高い優先度を設定することにより、商品情報を大きく表示させることができ、ネットスーパーの利益を向上させることができる。なお、在庫ＤＢ１２３に登録されている販売価格、仕入価格、粗利益を示すデータは「粗利益情報」、「粗利益率情報」の一例である。
【０１２０】
［１．５．２．過去３ヶ月の販売数や売上高による表示優先度の設定］
システム制御部１４は、表示優先度を、在庫ＤＢ１２３に登録されている過去３ヶ月の販売数や、過去３ヶ月の販売数から算出される売上高に応じて表示優先度を設定することとしてもよい。具体的には、例えば、過去３ヶ月の販売数又は売上高を第１〜第５の範囲に分類して規定しておき、システム制御部１４は、販売数又は売上高が第１の範囲の商品については表示優先度を「１」と設定し、販売数又は売上高が第２の範囲の商品については表示優先度を「２」と設定し、販売数又は売上高が第３の範囲の商品については表示優先度を「３」と設定し、販売数又は売上高が第４の範囲の商品については表示優先度を「４」と設定し、販売数又は売上高が第５の範囲の商品については表示優先度を「５」と設定する。過去３ヶ月の販売数の多い商品や売上高の高い商品ほど高い優先度を設定することにより、商品情報を大きく表示させることができ、売れ筋の商品をユーザに認識させることができる。なお、在庫ＤＢ１２３に登録されている過去３ヶ月の販売数をデータは「売り上げ数情報」の一例である。
【０１２１】
［１．５．３．在庫数による表示優先度の設定］
システム制御部１４は、表示優先度を、在庫ＤＢ１２３に登録されている在庫数量に応じて表示優先度を設定することとしてもよい。具体的には、例えば、在庫数量を第１〜第５の範囲に分類して規定しておき、システム制御部１４は、在庫数量が第１の範囲の商品については表示優先度を「１」と設定し、在庫数量が第２の範囲の商品については表示優先度を「２」と設定し、在庫数量が第３の範囲の商品については表示優先度を「３」と設定し、在庫数量が第４の範囲の商品については表示優先度を「４」と設定し、在庫数量が第５の範囲の商品については表示優先度を「５」と設定する。在庫数量の多い商品ほど高い優先度を設定することにより、商品情報を大きく表示させることができ、在庫を多く抱えている商品の回転を早くすることができる。一方、在庫数の少ない商品ほど高い優先度を設定することにより、商品情報を大きく表示させることができ、ユーザに人気商品であることを示すことができる。なお、在庫ＤＢ１２３に登録されている在庫数量を示すデータは「在庫数情報」の一例である。
【０１２２】
［１．５．４．賞味期限又は消費期限による表示優先度の設定］
システム制御部１４は、在庫商品の賞味期限又は消費期限を示すデータ（「期限表示情報」の一例）をデータベースで管理することとし、賞味期限又は消費期限が切れるまでの期間に応じて表示優先度を設定することとしてもよい。具体的には、例えば、賞味期限又は消費期限を第１〜第５の範囲に分類して規定しておき、システム制御部１４は、賞味期限又は消費期限が第１の範囲の商品については表示優先度を「１」と設定し、賞味期限又は消費期限が第２の範囲の商品については表示優先度を「２」と設定し、賞味期限又は消費期限が第３の範囲の商品については表示優先度を「３」と設定し、賞味期限又は消費期限が第４の範囲の商品については表示優先度を「４」と設定し、賞味期限又は消費期限が第５の範囲の商品については表示優先度を「５」と設定する。賞味期限又は消費期限が切れるまでの期間が短い商品ほど高い優先度を設定することにより、商品情報を大きく表示させることができ、賞味期限又は消費期限が切れてしまう商品の在庫数を減らすことを促進できる。また、製造日から賞味期限又は消費期限が切れる日までの日数に応じて表示優先度を設定することとしてもよい。製造日から賞味期限又は消費期限が切れる日までの日数が短い商品ほど高い優先度を設定することにより、商品情報を大きく表示させることができ、傷みの早い商品の回転を早くすることができる。
【０１２３】
［１．５．５．割引額による表示優先度の設定］
更にまた、注文受付サーバ１は、販売価格とは別に商品の通常価格をデータベースで管理することとし、通常価格（割引無しの価格）と販売価格（割引有りの価格）との差（割引額）や、割引額から算出される割引率に応じて表示優先度を設定することとしてもよい。具体的には、例えば、割引額又は割引率を第１〜第５の範囲に分類して規定しておき、システム制御部１４は、割引額又は割引率が第１の範囲の商品については表示優先度を「１」と設定し、割引額又は割引率が第２の範囲の商品については表示優先度を「２」と設定し、割引額又は割引率が第３の範囲の商品については表示優先度を「３」と設定し、割引額又は割引率が第４の範囲の商品については表示優先度を「４」と設定し、割引額又は割引率が第５の範囲の商品については表示優先度を「５」と設定する。割引率は、「割引率＝割引額÷販売価格」で算出される。割引額や、割引率の高い商品ほど高い優先度を設定することにより、商品情報を大きく表示させることができ、ユーザに特売商品であることを示すことができる。
【０１２４】
なお、第１実施形態では、表示優先度を５段階に設定したが、特に段階を規定せずに、過去３ヶ月における販売数や売上高の比率に応じて表示優先度を設定することとしてもよい。例えば、商品ジャンル選択画面（図示しない）にて選択されたジャンルに属する商品が商品Ａ、商品Ｂ、商品Ｃと３商品あり、商品Ａの過去３ヶ月における売上高が５万円、商品Ｂの過去３ヶ月における売上高が７．５万円、商品Ｃの過去３ヶ月における売上高が１１万円、であったとする。この場合、各商品の売上高の比率は、商品Ａ：商品Ｂ：商品Ｃ＝５：７．５：１１となるので、商品Ａの表示優先度を「５」、商品Ｂの表示優先度を「７．５」、商品Ｃの表示優先度を「１１」に設定する。そして、設定された表示優先度に基づいて、商品画像の表示面積の比率も、商品Ａ：商品Ｂ：商品Ｃ＝５：７．５：１１となるようにそれぞれの画像の表示面積を決定することとする。なお、過去３ヶ月における販売数や売上高の比率に代えて、在庫数の比率や、賞味期限又は消費期限が切れるまでの期間の長さの比率や、製造日から賞味期限又は消費期限が切れる日までの日数の比率を用いることとしてもよい。
【０１２５】
［２．第２実施形態］
次に、本発明の第２実施形態について、図９及び図１０を用いて説明する。
【０１２６】
上述した第１実施形態では、注文受付サーバ１が、在庫ＤＢ１２３に登録されている表示優先度に基づいて、各商品の商品情報を表示させる際の表示面積を決定していたのに対し、以下に説明する第２実施形態では、注文受付サーバ１が、商品一覧画面用Ｗｅｂページデータ３００を生成する際に、表示優先度を設定し、設定した表示優先度に基づいて各商品の商品情報を表示させる際の表示面積を決定する。
【０１２７】
第２実施形態における注文受付システムの注文受付サーバ、ユーザ端末及び店舗端末は、第１実施形態における注文受付システムＳの注文受付サーバ１、ユーザ端末２及び店舗端末３と、ほぼ同様の構成を有するので、同じ部材及び処理について同じ符号を用いることにより説明を一部省略し、差異点を中心に説明する。
【０１２８】
第２実施形態においては、説明を簡単化するために、表示優先度を「１」〜「３」の３段階に設定するものとする。また、図９に示すように、第２実施形態における商品一覧画面４００は、第１実施形態における商品一覧画面２００（図５参照）とは異なり、商品情報表示エリア４１０が、商品情報表示エリア（上段）４１０Ｕと商品情報表示エリア（下段）４１０Ｌとで構成される。商品情報表示エリア（上段）４１０Ｕには通常サイズの商品画像４１１と、それより表示面積が大きい大型サイズの商品画像４１１Ｂが表示され、一方、商品情報表示エリア（下段）４１０Ｌには商品画像が表示されない。具体的には、表示優先度が「３」の商品については商品情報表示エリア（上段）４１０Ｕにおいて大型サイズの商品画像４１１Ｂとともに各商品情報が表示され、表示優先度が「２」の商品については商品情報表示エリア（上段）４１０Ｕにおいて通常サイズの商品画像４１１とともに各商品情報が表示される。また、表示優先度が「１」の商品については商品情報表示エリア（下段）４１０Ｌにおいて各商品情報が表示され、商品画像は表示されない。
【０１２９】
また、第２実施形態における注文受付サーバ１のシステム制御部１４（「表示優先度設定手段」の一例）は、図７のステップＳ１１３で示した表示優先度取得処理の代わりに、表示優先度設定処理を行い、図７のステップＳ１１４の処理では、表示優先度設定処理にて設定した各商品の表示優先度に基づいて、表示面積決定処理を行う。
【０１３０】
ここで、表示優先度設定処理について説明する。まず、システム制御部１４は、商品ＤＢ１２４及び購入履歴ＤＢ１２６を参照し、ログインしているユーザにより過去に購入された商品及びその商品の調理方法を示すデータを取得する。本実施形態においては、取得される調理方法を示すデータのパターンは４通り（(i)電子レンジを示すデータのみ、(ii)揚げ物を示すデータのみ、(iii)電子レンジを示すデータ及び揚げ物を示すデータ、(iv)電子レンジを示すデータ及び揚げ物を示すデータの両方なし）となる。システム制御部１４は、そのユーザの過去の購入品の調理方法のうち最も多い調理方法を取得する。
【０１３１】
次いで、システム制御部１４は、商品リストに含まれる商品であって、取得した調理方法を示すデータと同じ調理方法を示すデータが登録されている商品の表示優先度を「３」に設定する。一方、システム制御部１４は、商品リストに含まれる商品であって、取得した調理方法を示すデータと異なる調理方法を示すデータが登録されている商品又は調理方法を示すデータが登録されていない商品の表示優先度を「２」に設定する。
【０１３２】
更に、システム制御部１４は、購入履歴ＤＢ１２６を参照し、商品リストに含まれる商品について、ログインしているユーザにより前日に購入された商品がないか確認し、前日に購入された商品があった場合、当該商品の表示優先度を「１」に設定する。この処理は、前日に購入した商品を再度注文することは少ないとの予測に基づく処理である。
【０１３３】
このように、第２実施形態においては、ログインしているユーザが過去に購入した商品の調理方法のうち最も多い調理方法と同じ調理方法が可能な商品の商品画像が大きく表示されることから、ユーザの利便性と、商品に対する関心を高めることができる。特に、商品の調理方法は、それを購入するユーザの生活パターンを反映していると考えることもできる。すなわち、例えば、電子レンジは所持しているがガスコンロは所持していないユーザは、調理方法が電子レンジのものを好んで購入する一方、揚げ物となるものはあまり購入しないと考えられる。よって、調理方法として電子レンジが指定されていない商品の表示面積が、電子レンジが指定されている商品の表示面積より大きくなるように表示されることが好ましい。
【０１３４】
［２．１．表示優先度に関する変形例］
第２実施形態における注文受付サーバ１のシステム制御部１４は、商品リストに含まれる商品の表示優先度を、ログインしているユーザにより過去に購入された商品の調理方法に基づいて設定しているが、調理方法以外の所定の情報に基づいて設定することとしてもよい。
【０１３５】
［２．１．１．保存温度帯による表示優先度の設定］
システム制御部１４は、上記所定の情報として、商品ＤＢ１２４に登録されている商品の保存温度帯を示すデータを用いることとしてもよい。具体的には、システム制御部１４は、商品ＤＢ１２４及び購入履歴ＤＢ１２６を参照して、ログインしているユーザにより過去に購入された商品、及びその商品の保存温度帯を取得する。システム制御部１４は、そのユーザの過去の購入品の保存温度帯のうち最も多い保存温度帯を取得する。
【０１３６】
次いで、システム制御部１４は、商品ＤＢ１２４を参照し、商品リストに含まれる商品であって、取得した保存温度帯を示すデータと同じ保存温度帯を示すデータが登録されている商品の表示優先度を「３」に設定する。一方、システム制御部１４は、商品リストに含まれる商品であって、取得した保存温度帯を示すデータと異なる保存温度帯を示すデータが登録されている商品又は保存温度帯を示すデータが登録されていない商品の表示優先度を「２」に設定する。
【０１３７】
これにより、ログインしているユーザが購入したことのある商品の保存温度帯のうち最も多い保存温度帯と同じ保存温度帯で保存されるべき商品、すなわちユーザが購入する可能性の高い商品の画像を大きく表示させることができ、ユーザの利便性や、商品に対する関心を向上させることができる。特に、商品が保存されるべき温度帯は、それを購入するユーザの生活パターンを反映していると考えることもできる。すなわち、例えば、冷凍庫を自宅に所持していないユーザは必然的に、保存すべき温度帯が冷凍のものはこれまでだけではなく今後も、あまり購入しないと考えられる。よって、保存すべき温度帯が冷蔵または常温の商品、あるいは冷凍が指定されていない商品の表示面積が、冷凍が指定されている商品より大きくなるように表示することが好ましい。
【０１３８】
［２．１．２．規格による表示優先度の設定］
システム制御部１４は、上記所定の情報として、商品ＤＢ１２４に登録されている商品の規格を示すデータを用いることとしてもよい。具体的には、システム制御部１４は、商品ＤＢ１２４及び購入履歴ＤＢ１２６を参照して、ログインしているユーザにより過去に購入された商品、及びその商品の規格を取得する。システム制御部１４は、そのユーザの過去の購入品の規格（例えば、サイズ）から最も多い規格（例えば、最も小さい又は少量のサイズ）であることを示すデータを取得する。
【０１３９】
次いで、システム制御部１４は、商品ＤＢ１２４を参照し、商品リストに含まれる商品であって、取得した規格を示すデータと同じ規格を示すデータが登録されている商品の表示優先度を「３」に設定する。一方、システム制御部１４は、商品リストに含まれる商品であって、取得した規格を示すデータと異なる規格を示すデータが登録されている商品又は規格を示すデータが登録されていない商品の表示優先度を「２」に設定する。
【０１４０】
これにより、ログインしているユーザが購入したことのある商品の規格のうち最も多い規格と同じ規格の商品、すなわちユーザが購入する可能性の高い商品の画像を大きく表示させることができ、ユーザの利便性や、商品に対する関心を向上させることができる。特に、商品の規格は、それを購入するユーザの家族構成を反映していると考えることもできる。すなわち、例えば、一人暮らしをしているユーザは、規格であるサイズが小さいもの、少量のものを好んで購入すると考えられる。よって、サイズが小さい、又は量が少量の商品の表示面積が、同じ商品であってもサイズが大きい商品又は量が多い商品より大きくなるように表示することが好ましい。
【０１４１】
［２．１．３．人気度による表示優先度の設定］
システム制御部１４は、上記所定の情報として、商品の人気度を示すデータを用いることとしてもよい。具体的には、注文受付サーバ１の記憶部１２に、図１０に示す商品人気度ＤＢ１２７を設けることとする。商品人気度ＤＢ１２７には、商品ＩＤ毎に、１０代男性の人気度、２０代男性の人気度、３０代男性の人気度、４０代男性の人気度、５０代男性の人気度、６０代男性の人気度、１０代女性の人気度、２０代女性の人気度、３０代女性の人気度、４０代女性の人気度、５０代女性の人気度、６０代女性の人気度を示すデータを登録する。それぞれの人気度を示すデータとしては、全ユーザの購入履歴に基づいて「低」、「中」、「高」を示すデータを登録することとする。
【０１４２】
まず、システム制御部１４は、会員ＤＢ１２１を参照し、ログインしているユーザの性別を示すデータ及び年代（生年月日より算出する）を示すデータを取得する。次いで、システム制御部１４は、商品人気度ＤＢ１２７を参照し、取得したユーザの性別を示すデータ及び年代を示すデータに基づいて商品の人気度を示すデータを取得する。
【０１４３】
次いで、システム制御部１４は、商品リストに含まれる各商品について、取得した商品の人気度を示すデータが「高」を示す商品の表示優先度を「３」に設定し、一方、商品の人気度を示すデータが「中」又は「低」を示す商品の表示優先度を「２」に設定する。なお、前日に購入された商品の表示優先度を「１」に設定することとしてもよいし、商品の人気度を示すデータが「低」を示す商品の表示優先度を「１」に設定することとしてもよい。
【０１４４】
これにより、ログインしているユーザと、同世代・同姓のユーザに人気のある商品については他より大型サイズの商品画像が表示されることから、ユーザの利便性や、商品に対する関心を向上させることができる。
【０１４５】
上述したように、第２実施形態における注文受付サーバ１によれば、ログインしているユーザの世代・性別（「属性情報」の一例）や、購入履歴ＤＢに登録されている情報（「購入履歴情報」の一例）に基づいて、表示優先度が設定されることから、ユーザの属性や購入履歴に関連する一部の商品が強調して表示され、ユーザの利便性と、商品に対する関心を高めることができる。
【０１４６】
［３．第３実施形態］
次に、本発明の第３実施形態について、図１１及び図１２を用いて説明する。
【０１４７】
上述した第１実施形態及び第２実施形態では、商品ジャンル選択画面（図示しない）において選択されたジャンルに属する商品の商品情報について、表示優先度に基づいて商品一覧画面に表示する際の表示面積を決定していたのに対し、以下に説明する第３実施形態では、既にユーザ端末２の表示部３２に商品一覧画面が表示されている状態において、ユーザにより何れかの商品がクリック操作等により選択されたこと（例えば、カゴボタンが押下（クリック）され、買い物かごに登録されたこと）に基づいて、商品一覧画面に表示されている何れかの商品の商品情報の表示面積を決定し、当該決定を反映させる。
【０１４８】
第３実施形態における注文受付システムの注文受付サーバ、ユーザ端末及び店舗端末は、第１実施形態及び第２実施形態における注文受付システムＳの注文受付サーバ１、ユーザ端末２及び店舗端末３と、ほぼ同様の構成を有するので、同じ部材及び処理について同じ符号を用いることにより説明を一部省略し、差異点を中心に説明する。
【０１４９】
第３実施形態においては、説明を簡単化するために、表示優先度を「１」又は「２」の２段階に設定するものとする。また、図１１に示すように、第３実施形態における商品一覧画面６００の商品情報表示エリア６１０には、表示面積の異なる商品画像（通常サイズの商品画像６１１と、商品画像６１１より大きい大型サイズの商品画像６１１Ｂ）が表示される。具体的には、表示優先度が「２」の商品については大型サイズの商品画像６１１Ｂが表示され、表示優先度が「１」の商品にいては通常サイズの商品画像６１１が表示される。
【０１５０】
第３実施形態における注文受付サーバ１の動作と、第１実施形態における注文受付サーバ１の動作とは、図１２に示すように、図７で示したステップＳ１１３の処理以降の処理が異なる。なお、ステップＳ１０１の処理からステップＳ１１２の処理までの動作は第１実施形態と同様なので説明を省略する。また、図１２において、ステップＳ１０１の処理からステップＳ１１０の処理までの図示を省略する。
【０１５１】
図１２に示すように、注文受付サーバ１のシステム制御部１４（「表示優先度設定手段」、「選択商品識別情報受信手段」の一例）は、ステップＳ１１２の処理で商品リストを取得すると、次いで、当該商品リストに含まれる商品の商品情報を表示するための商品一覧画面用Ｗｅｂページデータを生成し（ステップＳ３０１）、ユーザ端末２に送信する（ステップＳ３０２）。なお、ステップＳ３０１の処理で生成した商品一覧画面用Ｗｅｂページデータは、各商品の画像情報を一律同じ表示面積で表示させるデータである。
【０１５２】
ユーザ端末２のシステム制御部３６は、商品一覧画面用Ｗｅｂページデータを受信すると商品一覧画面６００を表示部３２に表示させる（ステップＳ３０３）。商品一覧画面６００が表示されると、ユーザは、商品情報表示エリア６１０に表示されている商品について、カゴボタン６３２を押下（クリック）することにより商品を買い物かご６５０に登録することができる。
【０１５３】
ユーザ端末２のシステム制御部３６は、カゴボタン６３２を押下（クリック）する操作を検出すると、押下（クリック）されたカゴボタン６３２に対応する商品の商品ＩＤ（「選択商品識別情報」の一例）を注文受付サーバ１に送信する（ステップＳ３０４）。
【０１５４】
注文受付サーバ１のシステム制御部１４は、商品ＩＤを受信すると、受信した商品ＩＤに基づいて表示優先度設定処理を行う（ステップＳ３０５）。具体的には、システム制御部１４は、商品情報表示エリア６１０に表示されている商品について、表示優先度を設定する。なお、注文受付サーバ１側で、商品情報表示エリア６１０に表示されている商品を特定できない場合には、ユーザ端末２から、商品情報表示エリア６１０に表示されている商品を特定するための情報を送信してもらうこととする。
【０１５５】
システム制御部１４は、商品ＤＢ１２４を参照し、受信した商品ＩＤに基づいて、ユーザが買い物かご６５０に登録した商品のうちで最も多い調理方法を示すデータを取得する。そして、システム制御部１４は、商品情報表示エリア６１０に表示されている各商品について、取得した調理方法を示すデータと同じ調理方法を示すデータが登録されている商品の表示優先度を「２」に設定し、取得した調理方法を示すデータと異なる調理方法を示すデータが登録されている商品又は調理方法を示すデータが登録されていない商品の表示優先度を「１」に設定する。また、ユーザが買い物かご６５０に登録した商品の表示優先度も「２」に設定する。
【０１５６】
次いで、システム制御部１４は、表示面積決定処理を行う（ステップＳ３０６）。具体的には、システム制御部１４は、表示優先度設定処理で設定した表示優先度が「２」である商品については大型サイズの商品画像６１１Ｂを表示させることを決定する一方、表示優先度設定処理で設定した表示優先度が「１」である商品については通常サイズの商品画像６１１を表示させることを決定する。
【０１５７】
次いで、システム制御部１４は、表示面積決定処理の処理結果に基づいて、商品一覧画面用ＣＳＳデータを生成し（ステップＳ３０７）、ユーザ端末２に送信する（ステップＳ３０８）。商品一覧画面用ＣＳＳデータは、ステップＳ３０３の処理で送信した商品一覧画面用Ｗｅｂページデータに対して、表示面積の変更を指示するデータである。すなわち、商品一覧画面用ＣＳＳデータは、ユーザ端末２の表示部３２に表示されている商品一覧画面６００における各商品画像の表示面積を更新するためのデータであり、商品一覧画面用ＣＳＳデータには、各商品画像の表示面積、すなわちサイズ（大型サイズ又は通常サイズ）を示す情報が記述されている。
【０１５８】
ユーザ端末２のシステム制御部３６は、商品一覧画面用ＣＳＳデータを受信すると、先に受信したＨＴＭＬデータ３１０に対して上書き保存し、商品一覧画面６００の表示を更新する（ステップＳ３０９）。また、これ以降、カゴボタン６３２がクリックされ、買い物かご６５０に商品が登録される度に、ステップＳ３０４の処理からステップＳ３０９の処理が繰り返される。そして、ユーザが注文する商品を全て買い物かご６５０に登録した後、会計ボタン６５１を押下（クリック）することで会計処理に移行する。すなわち、システム制御部３６は、会計ボタン６５１を押下（クリック）する操作を検出すると、図８に示すように、買い物かご６５０に登録されている全商品及びその注文数量を示す注文データを注文受付サーバ１に送信する（ステップＳ２０１）。なお、以降の処理は第１実施形態及び第２実施形態と同様であるので説明を省略する。
【０１５９】
このように、第３実施形態においては、ステップＳ３０４の処理からステップＳ３０９の処理によって、ユーザが買い物かご６５０に登録した商品の調理方法に基づいた調理方法が可能な商品の商品画像が大きく表示されることから、ユーザの利便性と、商品に対する関心を高めることができる。
【０１６０】
［３．１．表示優先度に関する変形例］
第３実施形態における注文受付サーバ１のシステム制御部１４は、商品情報表示エリア６１０に表示されている商品の表示優先度を、ユーザにより選択された商品（買い物かご６５０に登録された商品）の調理方法に基づいて設定しているが、調理方法以外の所定の情報に基づいて設定することとしてもよい。
【０１６１】
［３．１．１．保存温度帯による表示優先度の設定］
システム制御部１４は、上記所定の情報として、商品ＤＢ１２４に登録されている商品の保存温度帯を示すデータを用いることとしてもよい。具体的には、システム制御部１４は、商品ＤＢ１２４を参照し、買い物かご６５０に登録した商品の保存温度帯のうちで最も多い保存温度帯を示すデータを取得する。
【０１６２】
次いで、システム制御部１４は、商品ＤＢ１２４を参照し、商品情報表示エリア６１０に表示されている商品であって、取得した保存温度帯を示すデータと同じ保存温度帯を示すデータが登録されている商品の表示優先度を「２」に設定する。一方、システム制御部１４は、商品情報表示エリア６１０に表示されている商品であって、取得した保存温度帯を示すデータと異なる保存温度帯を示すデータが登録されている商品又は保存温度帯を示すデータが登録されていない商品の表示優先度を「１」に設定する。
【０１６３】
これにより、ユーザにより選択された商品の保存温度帯のうち最も多い保存温度帯で保存されるべき商品、すなわちユーザが購入する可能性の高い商品の画像を大きく表示させることができ、ユーザの利便性や、商品に対する関心を向上させることができる。
【０１６４】
［３．１．２．規格による表示優先度の設定］
システム制御部１４は、上記所定の情報として、商品ＤＢ１２４に登録されている商品の規格を示すデータを用いることとしてもよい。具体的には、システム制御部１４は、商品ＤＢ１２４を参照し、買い物かご６５０に登録した商品の規格のうちで最も多い規格を示すデータを取得する。
【０１６５】
次いで、システム制御部１４は、商品ＤＢ１２４を参照し、商品情報表示エリア６１０に表示されている商品であって、取得した規格を示すデータと同じ規格を示すデータが登録されている商品の表示優先度を「２」に設定する。一方、システム制御部１４は、商品情報表示エリア６１０に表示されている商品であって、取得した規格を示すデータと異なる規格を示すデータが登録されている商品又は規格を示すデータが登録されていない商品の表示優先度を「１」に設定する。
【０１６６】
これにより、ユーザにより選択された商品の規格のうち最も多い規格の商品、すなわちユーザが購入する可能性の高い商品の画像を大きく表示させることができ、ユーザの利便性や、商品に対する関心を向上させることができる。
【０１６７】
以上説明したように、本実施形態の注文受付サーバ１によれば、商品毎に設定される表示優先度に基づいて、ユーザ端末２が商品一覧画面を表示する際における一商品当たりの商品画像を表示する表示面積が決定されることから、各商品の商品情報が同列的に表示されることなく、一部の商品が強調して表示され、ユーザの商品に対する関心を高めることができる。
【０１６８】
また、注文受付サーバ１は、表示優先度の高い商品ほど、商品情報を表示する表示面積として大きい面積を決定することから、ユーザの目にとまりやすく、ユーザの利便性と、商品に対する関心を高めることができる。また、本実施形態では、商品ごとに表示面積自体を設定して面積を調整するのではなく、優先度を設定することで商品の表示面積を変えているので、表示面積の変更を柔軟に行うことができる。
【０１６９】
更に、注文受付サーバ１は、表示優先度に応じて、特に商品画像の表示面積を変えていることから、ユーザの目にとまりやすくユーザの利便性と、商品に対する関心を高めることができる。
【０１７０】
また、ネットスーパーサイトは、商品の注文を受け付けるにあたって、商品に係る画像、名称、価格等の商品情報を端末装置の表示部に表示させる。ところが、ネットスーパーで取り扱う商品は生鮮食品や日用雑貨など多種多品目にわたるため、一商品当たりの表示面積が小さくなりがちである。更に従来では、全ての商品の画像等が同じ大きさで表示されるなど、各商品が同列的に扱われている。
【０１７１】
このように、ネットスーパーサイトでは数万種類にわたる商品が取り扱われるため、商品情報が同列的に表示されるとユーザの商品閲覧負担も大きくなりがちであるが、本実施形態の注文受付サーバ１によれば、一部の商品の画像が強調表示されることから、ユーザの商品閲覧負担を軽減することができる。
【０１７２】
なお、本実施形態では、図４等に示したように、表示優先度の高い商品について、商品情報のうち商品の画像を大きく表示しているが、これに代えて又はこれに加えて、商品の価格２１２、商品の名称２１３、商品の生産地２１４、商品の規格２１５、冷蔵アイコン２１６、冷凍アイコン２１７、電子レンジアイコン２１８及び揚げ物アイコン２１９の少なくとも何れか一つ、あるいは複数、あるいは全部を大きく表示することとしてもよい。
【０１７３】
また、上記実施形態では、ネットスーパーサイトにアクセスし、ネットスーパーサイトのトップページ（図示しない）を表示部３２に表示後すぐにログイン処理を行っているが、ログイン処理を行うタイミングはこれに限られない。例えば、買い物かご２５０に登録されている全商品及びその注文数量を示す注文データを注文受付サーバ１に送信する際にログイン処理をおこなってもよい。この場合、過去にユーザが端末装置から注文受付サーバ１にアクセスした際に生成され、端末装置に保存されていたクッキー（Cookie）情報によって、その後ユーザが端末装置からネットスーパーサイトにアクセスした際に、ユーザの届先住所を配達可能地域に含む店舗又は支店のリストを取得してもよい。
【０１７４】
本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。したがって、例えば、本発明に係る商品情報提供サーバ装置は、端末装置に対してネットスーパーで扱う商品に限らず、それ以外の商品を提供してもよい。
【符号の説明】
【０１７５】
１  注文受付サーバ
１１  注文受付サーバ／通信部
１２  注文受付サーバ／記憶部
１３  注文受付サーバ／入出力インターフェース部
１４  注文受付サーバ／システム制御部
１５  注文受付サーバ／システムバス
２  ユーザ端末
３  店舗端末
ＮＷ  ネットワーク
Ｓ  注文受付システム
【図１】
0005199289.tif 000002
【図２】
0005199289.tif 000003
【図３】
0005199289.tif 000004
【図４】
0005199289.tif 000005
【図６】
0005199289.tif 000006
【図７】
0005199289.tif 000007
【図８】
0005199289.tif 000008
【図１０】
0005199289.tif 000009
【図１２】
0005199289.tif 000010
【図５】
0005199289.tif 000011
【図９】
0005199289.tif 000012
【図１１】
0005199289.tif 000013